(57)【特許請求の範囲】
【請求項１】
曲毎に音響データを記録した音響データ記録手段と、
前記音響データ記録手段に記録された音響データに関わる曲毎の再生頻度回数及び評価情報を含む特有情報を記憶したデータベースと、
前記データベースに記憶された前記曲毎の再生頻度回数に基づいて、前記音響データに関わる曲の第１優先順位を生成すると共に、前記曲毎の評価情報に基づいて、前記音響データに関わる曲の第２優先順位を生成する優先順位生成手段と、
前記第１優先順位を第１座標軸とし、前記第２優先順位を第２座標軸とする画面に、前記第１優先順位及び前記第２優先順位に基づいて、曲毎の曲マークをマッピングし、マッピングされた前記画面を表示手段に表示する制御手段とを有する音響情報機器。
【請求項２】
前記表示手段に表示された複数の曲マークから、曲マークを選択する選択手段を有し、
前記制御手段は、前記選択手段によって選択された曲マークに関わる特有情報と、前記選択手段によって選択された曲マークに対応する曲に対して、前記第１優先順位及び前記第２優先順位が隣接した曲に関わる特有情報とを関連づけて前記表示手段に表示する請求項１記載の音響情報機器。
【請求項３】
前記表示手段に表示された複数の曲マークから、曲マークを選択する選択手段を有し、
前記制御手段は、前記選択手段によって選択された曲マークに関わる音響データの一部を音響再生装置に再生させる再生制御手段を有する請求項１または２に記載の音響情報機器。
【請求項４】
前記表示手段に表示された複数の曲マークから、曲マークを選択する選択手段を有し、
前記制御手段は、前記選択手段によって選択された曲マークに関わる音響データを音響再生装置に再生させる再生制御手段を有する請求項１または２に記載の音響情報機器。
【請求項５】
前記再生制御手段が音響データを再生した場合に、前記データベースに記憶された、再生した音響データに関わる曲に対応する再生頻度回数を更新する再生頻度回数更新手段を有する請求項３または４に記載の音響情報機器。
【請求項６】
前記再生制御手段が音響データを再生している間に評価情報の入力を受け付けた場合に、前記データベースに記憶された、再生中の音響データに関わる曲に対応する評価情報を更新する評価情報更新手段を有する請求項３または４に記載の音響情報機器。
【請求項７】
前記特有情報は、前記音響データ記録手段に音響データを記録した曲毎の記録時期を含み、
前記優先順位生成手段は、前記曲毎の記録時期に基づいて、前記音響データ記録手段に記録した音響データに関わる曲の優先順位を生成することを特徴とする請求項１から６のいずれか１項に記載の音響情報機器。
【請求項８】
前記制御手段は、前記優先順位生成手段にて生成した優先順位に基づいて、予め定められた方向に優先順位付けした各曲マークを前記表示手段に表示する請求項１から７のいずれか１項に記載の音響情報機器。
【発明の詳細な説明】
【０００１】
【発明の属する技術分野】
本発明は、例えばMPEG1 Audio LayerIII（以下、単にＭＰ３と称する）等でハードディスク、ＤＶＤやＣＤ−ＲＯＭ等の音響データ記録手段に記録された曲毎の音響データを管理する音響情報機器に関する。
【０００２】
【従来の技術】
従来、例えば車載用音響情報機器においては、カセットテープ、ＣＤ若しくはＭＤ等の記録媒体に記録された曲毎の音響データを読出再生することで、曲再生を行っていた。
【０００３】
また、近年、大容量記録媒体の技術的進歩に伴って、ハードディスク、ＤＶＤ若しくはＣＤ−ＲＯＭ等の大容量記録媒体が普及しており、例えばハードディスクにおいては６０Ｇバイト程度の容量を備えたものもある。
【０００４】
さらに、データ圧縮技術の技術的進歩が進むに連れ、例えばＭＰ３方式のデータ圧縮技術においては、音響データ圧縮に伴う音質劣化を抑えながら、その音響データを約１０分の１程度に圧縮することができることから、平均的な曲で１曲あたり、３Ｍバイト程度のデータ容量で済む。従って、単純に考えても、例えば１Ｇバイトのハードディスクで３００曲以上の曲を記録することができることになる。
【０００５】
そこで、今後、車載用音響情報機器においても、ハードディスク、ＤＶＤ若しくはＣＤ−ＲＯＭ等の大容量記録媒体である音響データ記録手段を搭載することも可能となることから、車載環境下においても、再生できる音楽曲数が膨大になることが想定される。
【０００６】
しかしながら、このような車載用音響情報機器を想定した場合、このように音楽曲数が膨大となると、運転しながら、その膨大な曲数から所望の曲を選択する選択操作が煩雑となることが考えられる。
【０００７】
そこで、従来の車載用音響情報機器においては、音響データ記録手段のデータ階層構造をディレクトリとして直接表示画面上に画面表示することで、その表示画面上のメニューから所望曲の音響データに関わるメニューを選択することで、膨大な数の曲から所望曲を選択再生する方法が採られつつある。
【０００８】
さらに、このような車載用音響情報機器においては、例えば再生履歴情報を利用して、最近再生した曲の曲ファイルをフォルダ内に管理しておき、このフォルダ内の曲ファイルを一覧表示することで、この一覧表示から所望曲の曲ファイルを選択し、この曲ファイルに基づいて所望曲を再生する方法や、例えば“お気に入り”といった特別のフォルダを設け、このフォルダ内に所望曲の曲ファイルのみを記憶しておき、このフォルダ内の曲ファイルを一覧表示することで、この一覧表示から所望曲の曲ファイルを選択し、この曲ファイルに基づいて所望曲を再生する方法が提案されている。
【０００９】
【発明が解決しようとする課題】
しかしながら、上記従来の音響情報機器によれば、ハードディスク等の音響データ記録手段に膨大な曲数の音響データが記録されていることから、この音響データ記録手段のデータ階層構造をディレクトリとして直接画面表示したとしても、その曲数に応じて表示画面上のメニューの数も膨大となることから、例えば車載用音響情報機器の場合のように、運転をしながら、その表示画面上の膨大な数のメニューから所望曲に該当するメニューを選択し、所望曲を再生するまでの操作は非常に煩雑となる。
【００１０】
そこで、データ階層毎に画面表示するメニューの数を減らすことも考えられるが、データ階層毎のメニューの数を減らすとすると、そのデータ階層が深くなることから、最終的に所望曲を再生するまでの操作は非常に煩雑となる。
【００１１】
また、従来の音響情報機器によれば、所望曲の曲名、演奏者名やアルバム名等の検索要件をユーザ側で入力し、この検索要件に基づいて、音響データ記録手段の膨大な音響データから所望曲を検索する検索機能も考えられるが、このような検索機能を利用しているためには、ユーザ側で所望曲に関わる正確な検索要件を把握している必要がある。
【００１２】
また、従来の音響情報機器によれば、再生履歴情報を利用して最近再生した曲ファイルを一覧表示し、この一覧表示した曲ファイルから所望曲を選択再生する方法や、お気に入りのフォルダの曲ファイルを一覧表示し、この一覧表示した曲ファイルから所望曲を選択再生する方法もあるが、これら方法は、ユーザの嗜好を反映した形式ではあるものの、一覧表示の曲ファイルから所望曲を選択再生することから、その一覧表示する曲ファイルの数が増えると、その選択操作が煩雑となることは勿論であるが、これらフォルダ内に記憶されていない曲は、音響データ記録手段に記録された膨大な数の曲に含まれているにも関わらず、その再生機会が得られない虞がある。
【００１３】
本発明は上記点に鑑みてなされたものであり、その目的とするところは、音響データ記録手段に記録した全曲の再生機会を均等に確保しながら、その全曲から所望曲を選択する操作を大幅に良好にした音響情報機器を提供することにある。
【００１４】
【課題を解決するための手段】
上記目的を達成するために本発明の音響情報機器は、曲毎に音響データを記録した音響データ記録手段と、この音響データ記録手段に記録された音響データの曲に関わる特有情報を記憶したデータベースと、このデータベースに記憶中の特有情報に基づいて、前記音響データ記録手段に記録した音響データに関わる曲の優先順位を生成する優先順位生成手段と、この優先順位生成手段にて生成した優先順位に基づいて、曲単位の曲マークを表示手段上にマッピング表示する制御手段とを有するようにした。
【００１５】
従って、本発明の音響情報機器によれば、音響データの曲に関わる特有情報に基づいて、音響データ記録手段に記録した音響データに関わる曲の優先順位を生成し、この優先順位に基づいて、曲毎の曲マークを表示手段上にマッピング表示するようにしたので、音響データ記録手段に記録した全曲の曲マークを表示手段上に表示することから、音響データ記録手段に記録した全曲の再生機会を均等に確保することができると共に、例えば所望曲の優先順位に基づいて曲マークがマッピング表示されていることから、その全曲から所望曲を選択する操作性の大幅向上を図ることができる。
【００１６】
本発明の音響情報機器は、前記表示手段上にマッピング表示した曲マークの内、所望の曲マークを選択する選択手段を有し、前記制御手段は、前記選択手段にて所望の曲マークを選択すると、この所望の曲マークに関わる特有情報を前記データベースから読み出し、この特有情報の一部を前記表示手段に画面表示する表示制御手段を有するようにした。
【００１７】
従って、本発明の音響情報機器によれば、この選択手段にて所望の曲マークを選択すると、この所望の曲マークに関わる特有情報を前記データベースから読み出し、この特有情報の一部を前記表示手段に画面表示するようにしたので、選択した曲内容を視覚的に認識することができる。
【００１８】
本発明の音響情報機器は、前記表示手段上にマッピング表示した曲マークの内、所望の曲マークを選択する選択手段を有し、前記制御手段は、前記選択手段にて所望の曲マークを選択すると、この所望の曲マークに関わる特有情報内の曲アドレス情報を前記データベースから読み出し、この曲アドレス情報に基づいて、この曲の音響データの一部を前記音響データ記録手段から読み出し、この音響データの一部を音響再生装置に再生させる再生制御手段を有するようにした。
【００１９】
従って、本発明の音響情報機器によれば、この選択手段にて所望の曲マークを選択すると、この所望の曲マークに関わる特有情報内の曲アドレス情報を前記データベースから読み出し、この曲アドレス情報に基づいて、この曲の音響データの一部を前記音響データ記録手段から読み出し、この音響データの一部を音響再生装置に再生させるようにしたので、選択した曲内容を聴覚的に認識することができる。
【００２０】
本発明の音響情報機器は、前記表示手段上にマッピング表示した曲マークの内、所望の曲マークを選択する選択手段を有し、前記制御手段は、前記選択手段にて所望の曲マークを選択すると、この所望の曲マークに関わる特有情報内の曲アドレス情報を前記データベースから読み出し、この曲アドレス情報に基づいて、この曲の音響データを前記音響データ記録手段から読み出し、この音響データを音響再生装置に再生させる再生制御手段を有するようにした。
【００２１】
従って、本発明の音響情報機器によれば、この選択手段にて所望の曲マークを選択すると、この所望の曲マークに関わる特有情報内の曲アドレス情報を前記データベースから読み出し、この曲アドレス情報に基づいて、この曲の音響データを前記音響データ記録手段から読み出し、この音響データを音響再生装置に再生させるようにしたので、選択した曲内容を聴覚的に認識することができる。
【００２２】
本発明の音響情報機器は、前記特有情報が、前記音響データ記録手段で記録した音響データに関わる曲毎の再生頻度回数を含み、前記優先順位生成手段は、前記曲毎の再生頻度回数に基づいて、前記音響データ記録手段に記録した音響データに関わる曲の優先順位を生成するようにした。
【００２３】
従って、本発明の音響情報機器によれば、曲毎の再生頻度回数に基づいて優先順位を生成するようにしたので、再生頻度回数の優先順位で曲毎の曲マークをマッピング表示することで、再生頻度回数に基づく曲選択操作性の大幅向上を図ることができる。
【００２４】
本発明の音響情報機器は、前記特有情報が、前記音響データ記録手段に記録した音響データに関わる曲毎の評価情報を含み、前記優先順位生成手段は、前記曲毎の評価情報に基づいて、前記音響データ記録手段に記録した音響データに関わる曲の優先順位を生成するようにした。
【００２５】
従って、本発明の音響情報機器によれば、曲毎の評価情報に基づいて優先順位を生成するようにしたので、評価情報の優先順位で曲毎の曲マークをマッピング表示することで、評価情報に基づく曲選択操作性の大幅向上を図ることができる。
【００２６】
本発明の音響情報機器は、前記特有情報が、前記音響データ記録手段に音響データを記録した曲毎の記録時期を含み、前記優先順位生成手段は、前記曲毎の記録時期に基づいて、前記音響データ記録手段に記録した音響データに関わる曲の優先順位を生成するようにした。
【００２７】
従って、本発明の音響情報機器によれば、曲毎の記録時期に基づいて優先順位を生成するようにしたので、記録時期の優先順位で曲毎の曲マークをマッピング表示することで、記録時期に基づく曲選択操作性の大幅向上を図ることができる。
【００２８】
本発明の音響情報機器は、前記制御手段が、前記優先順位生成手段にて生成した優先順位に基づいて、所定方向に優先順位付けした各曲マークを前記表示手段上にマッピング表示するようにした。
【００２９】
従って、本発明の音響情報機器によれば、優先順位に基づいて、所定方向に優先順位付けした各曲マークを表示手段上にマッピング表示するようにしたので、ユーザは、曲毎の優先順位を視覚的に認識しやすくなる。
【００３０】
本発明の音響情報機器は、前記特有情報が、前記音響データ記録手段で記録した音響データに関わる曲毎の再生頻度回数及び評価情報を含み、前記優先順位生成手段は、前記曲毎の再生頻度回数に基づいて、前記音響データ記録手段に記録した音響データに関わる曲の第１優先順位を生成すると共に、前記曲毎の評価情報に基づいて、前記音響データ記録手段に記録した音響データに関わる曲の第２優先順位を生成し、前記制御手段は、前記第１優先順位を第１座標軸とし、前記第２優先順位を第２座標軸とする前記表示手段上に、前記第１優先順位及び前記第２優先順位に基づいて、曲毎の曲マークをマッピング座標表示するようにした。
【００３１】
従って、本発明の音響情報機器によれば、曲毎の再生頻度回数に基づいて第１優先順位を生成し、曲毎の評価情報に基づいて第２優先順位を生成し、これら第１優先順位及び第２優先順位に基づいて、曲毎の曲マークを表示手段上にマッピング座標表示するようにしたので、ユーザは、曲毎の再生頻度回数及び評価情報に基づく曲の優先度を視覚的に認識しやすくなる。
【００３２】
【発明の実施の形態】
以下、図面に基づいて本発明の実施の形態を示す音響情報機器について説明する。図１は本実施の形態を示す音響情報機器内部の概略構成を示すブロック図である。
【００３３】
図１に示す音響情報機器１は、ＭＰ３方式のＭＰ３データ等の様々なデータを記憶するハードディスク装置１１と、ＭＰ３データを伸長するＭＰ３データデコーダ装置１２と、この伸長したＭＰ３データを音響再生する音響再生装置１３と、ユーザからのコマンド音声を収音し、そのコマンド音声を音声認識する音声認識装置１４と、各種機器の動作情報をユーザに音声出力すべく、合成音声を生成する音声合成装置１５と、様々な情報を画面表示するディスプレイ装置１６と、様々なコマンドを入力する操作部１７と、この音響情報機器１全体を制御する制御装置１８とを有している。
【００３４】
ハードディスク装置１１は、曲毎のＭＰ３データを記録する音響データ記録手段であるＭＰ３データ領域１１Ａと、ＭＰ３データ領域１１Ａに記録された音響データの曲に関わる特有情報等を記憶するデータベース領域１１Ｂとを有している。
【００３５】
操作部１７は、ディスプレイ装置１６の表示画面上のコマンドを選択するタッチパネル１７Ａと、音声認識モードに移行するための音声認識モード用ボタン１７Ｂと、後述する評価情報を設定する評価設定用ボタン１７Ｃと、優先順位を設定する指定項目を選択する項目チェンジキー１７Ｄ等とを有している。
【００３６】
音声認識モード用ボタン１７Ｂは、そのボタンが押下されている状態にのみ、音声認識モードとなり、この音声認識モード中においては、音声認識装置１４でコマンド音声を音声認識することでテキスト情報に変換し、このテキスト情報を制御装置１８に伝送し、制御装置１８側でテキスト情報に基づく処理動作を実行するものである。
【００３７】
評価設定用ボタン１７Ｃは、現在再生中の曲の評価を○△×の３段階評価とし、○は＋２点、△は＋１点、×は−３点といったポイント点数形式で設定するものであり、曲再生中に評価設定用ボタン１７Ｃで○が選択されると、後述する現在再生中の曲に関わる評価情報は＋２点が加算されることになり、ユーザの嗜好を反映した評価情報を得ることができるものである。
【００３８】
項目チェンジキー１７Ｄは、優先順位を生成する指定項目を選択するためのキーである。
【００３９】
図２は本実施の形態に関わる制御装置１８内部の概略構成を示すブロック図である。
【００４０】
図２に示す制御装置１８は、データベース領域１１Ｂに記憶中の特有情報に基づいて、ＭＰ３データ領域１１Ａに記録したＭＰ３データに関わる曲の優先順位を生成する優先順位生成手段２１と、この優先順位生成手段２１にて生成した優先順位に基づいて、曲単位の曲マークをディスプレイ装置１６の表示画面上にマッピング表示する制御手段２２とを有している。
【００４１】
さらに、制御手段２２は、ディスプレイ装置１６の表示画面上にマッピング表示した曲マークの内、所望の曲マークをタッチパネル１７Ａ等で選択すると、この所望の曲マークに関わる特有情報をデータベース領域１１Ｂから読み出し、この特有情報の一部を表示画面上に画面表示する表示制御手段２３と、この選択した所望の曲マークに関わる特有情報内の曲アドレス情報をデータベース領域１１Ｂから読み出し、この曲アドレス情報に基づいて、この曲のＭＰ３データの一部をＭＰ３データ領域１１Ａから読み出し、このＭＰ３データの一部を音響再生装置１３に再生させる再生制御手段２４とを有している。
【００４２】
優先順位生成手段２１は、後述する画面表示中の項目チェンジキー１７Ｄで一つの指定項目を選択すると、この指定項目に基づいて、ＭＰ３データ領域１１Ａに記録したＭＰ３データに関わる曲の優先順位を生成するものである。
【００４３】
さらに、制御手段２２は、この指定項目の優先順位に基づいて、図８に示すように、全曲の曲マークをディスプレイ装置１６の表示画面上にインジケータ表示するものである。
【００４４】
また、優先順位生成手段２１は、後述する画面表示中の項目チェンジキー１７Ｄで二つの指定項目を選択すると、第１の指定項目に基づいて、ＭＰ３データ領域１１Ａに記録したＭＰ３データに関わる曲の第１優先順位を生成すると共に、第２の指定項目に基づいて、ＭＰ３データ領域１１Ａに記録したＭＰ３データに関わる曲の第２優先順位を生成するものである。
【００４５】
制御手段２２は、第１優先順位を第１座標軸Ｘとし、第２優先順位を第２座標軸Ｙとする表示画面上に、第１優先順位及び第２優先順位に基づいて、図９に示すように、全曲の曲マークをマッピング座標表示するものである。
【００４６】
また、制御手段２２は、音声認識装置１４を通じての音声コマンド、タッチパネル１７Ａでの選択コマンド、音声認識モード用ボタン１７Ｂの入力、評価設定用ボタン１７Ｃの入力を監視することで、ユーザの意図を音響情報機器１に反映するものである。
【００４７】
図３は本実施の形態に関わるデータベース領域１１Ｂに記録中の特有情報のデータ構成を示す説明図である。
【００４８】
図３に示す特有情報３０は曲単位でコラムを形成し、各コラムは計１０個の指定項目を有し、各種指定項目は、曲毎に付与された識別番号３１と、この曲に関わるＭＰ３データが記録されている記録媒体名３２と、その記録媒体の曲アドレス情報３３と、そのファイル名３４と、ＭＰ３のタグから得ることができるＩＤ３ＴＡＧ情報３５と、ＣＤシリアル情報３６と、この曲に関わる音響データがＭＰ３データ領域１１Ａに記録した時に生成したファイル生成時刻３７と、この曲に関わる最近の再生時刻を示す最新再生時刻３８と、その曲に関わる再生頻度回数３９と、その曲に関わる評価情報４０とを有している。
【００４９】
次に本実施の形態を示す音響情報機器１の動作について説明する。
【００５０】
まずは、音響情報機器１のデータベース新規作成処理について説明する。図４は音響情報機器１のデータベース新規作成処理に関わる制御装置１８の処理動作を示すフローチャートである。
【００５１】
図４に示すデータベース新規作成処理とは、ＭＰ３データ領域１１Ａに記録した全曲の特有情報を、ハードディスク装置１１のデータベース領域１１Ｂに記録する処理である。
【００５２】
図４において制御装置１８は、曲毎のＭＰ３データをＭＰ３データ領域１１Ａに記録する際、その曲に関わるタイトル名、演奏者名やアルバム名等の曲コンテンツ情報（ＭＰ３タグ情報等）を取得し（ステップＳ１１）、ＭＰ３データ領域１１Ａの曲アドレス情報、ファイル生成時刻情報等の関連情報を取得する（ステップＳ１２）。
【００５３】
制御装置１８は、データベース領域１１Ｂ内に曲単位でコラムを形成し（ステップＳ１３）、曲コンテンツ情報及び関連情報に基づいて曲単位の特有情報を生成する（ステップＳ１４）。
【００５４】
さらに、制御装置１８は、曲単位のコラムに曲単位の特有情報を書込むことで（ステップＳ１５）、データベース領域１１Ｂに全曲に関わる特有情報を記録管理する。
【００５５】
図５は音響情報機器１のデータベース更新処理に関わる制御装置１８の処理動作を示すフローチャートである。
【００５６】
図５に示すデータベース更新処理とは、ＭＰ３データ領域１１Ａに新たな曲を追加記録する際に、新たな曲に関わる特有情報をデータベース領域１１Ｂに追加更新する処理である。
【００５７】
図５において制御装置１８は、ＭＰ３データ領域１１Ａに新たな曲を記録する際に、新たな曲に関わるタイトル名、演奏者名やアルバム名等の曲コンテンツ情報（ＭＰ３タグ情報等）を取得し（ステップＳ２１）、ＭＰ３データ領域１１Ａの曲アドレス情報、ファイル生成時刻情報等の関連情報を取得する（ステップＳ２２）。
【００５８】
さらに、制御装置１８は、データベース領域１１Ｂに新たな曲に関わるコラムを追加作成すると共に（ステップＳ２３）、曲コンテンツ情報及び関連情報に基づいて、新たな曲に関わる特有情報を生成し（ステップＳ２４）、この追加作成したコラムに新たな曲に関わる特有情報を書込むことで（ステップＳ２５）、データベース領域１１Ｂに新たな曲に関わる特有情報を追加作成することができる。
【００５９】
次に音響情報機器１のＭＰ３データ領域１１Ａに記録済みのＭＰ３データを再生する場合の動作について説明する。
【００６０】
制御装置１８は、タッチパネル１７Ａを通じて所望曲のＭＰ３データをＭＰ３データ領域１１Ａから読み出し、このＭＰ３データをＭＰ３データデコーダ装置１２に伝送する。ＭＰ３データデコーダ装置１２は、ＭＰ３データを伸長し、この伸長したＭＰ３データを音響再生装置１３に伝送する。
【００６１】
音響再生装置１３は、この音響データを再生することで、所望曲を音声出力することになる。
【００６２】
この際、制御装置１８は、データベース領域１１Ｂに記憶中の当該再生曲に関わる時刻を最新再生時刻として更新し、さらに、その再生頻度回数を＋１インクリメントすることになる。また、曲再生中に評価設定用ボタン１７Ｃが押下されると、その評価情報を更新することになる。
【００６３】
図６は評価情報更新処理に関わる制御装置１８の処理動作を示すフローチャートである。
【００６４】
図６に示す評価情報更新処理とは、曲再生中の評価設定用ボタン１７Ｃ押下に応じて再生中の曲に関わる評価情報を更新する処理である。
【００６５】
図６において制御装置１８は、通常の曲再生中となると（ステップＳ３１）、この再生曲に関わる再生頻度回数を＋１インクリメントすると共に、最新再生時刻を更新する（ステップＳ３２）。
【００６６】
さらに、評価設定用ボタン１７Ｃが押下されたか否かを判定する（ステップＳ３３）。評価設定用ボタン１７Ｃが押下されたのでなければ、この処理動作を終了する。
【００６７】
評価設定用ボタン１７Ｃが押下されたのであれば、現在再生中の曲に関わる評価情報を更新するのであるが、○が押下されたのであれば、その評価点数を＋２とし、△が押下されたのであれば、その評価点数を＋１、×が押下されたのであれば、その評価点数を−３とし、この押下に対応する評価点数を現在の評価点数に加算することで、データベース領域１１Ｂに記憶中の特有情報に含まれる曲の評価情報を更新する。
【００６８】
このようにデータベース領域１１Ｂにおいては、ＭＰ３データ領域１１Ａに記録中の曲毎の特有情報が逐次更新されることになる。
【００６９】
次にＭＰ３データ領域１１Ａに記録中の曲から所望曲を再生する場合の動作について説明する。図７は所望曲再生処理に関わる制御装置１８の処理動作を示すフローチャートである。
【００７０】
図７に示す所望曲再生処理とは、データベース領域１１Ｂに記憶中の特有情報に含まれる指定項目に基づいて優先順位を設定し、この優先順位に基づいて、曲単位の曲マークをディスプレイ装置１６の表示画面上にマッピング表示すると共に、所望曲に関わる曲マークを選択し、この所望曲を再生する処理である。
【００７１】
制御装置１８の制御手段２２は、所望曲再生処理に関わる起動動作を検出すると（ステップＳ４１）、その指定項目が１項目か否かを判定する（ステップＳ４２）。尚、指定項目とは、特有情報に含まれる各種指定項目であり、表示画面中の項目チェンジキー１７Ｄで指定項目を選択するものである。
【００７２】
優先順位生成手段２１は、指定項目が１項目であれば、この指定項目に関わる全曲のデータをデータベース領域１１Ｂから読み出し（ステップＳ４３）、この指定項目に関わる全曲データの優先順位を生成する（ステップＳ４４）。尚、その優先順位に同順が発生したとしても、その同順の間で適当な順番を割り振るものとする。
【００７３】
制御手段２２は、この指定項目による優先順位に基づいて、所定方向に優先順位付けした各曲マークをディスプレイ装置１６の表示画面上にマッピング表示する、つまり優先順位に基づいて、図８に示すようにインジケータ表示する（ステップＳ４５）。尚、図８の表示画面は、指定項目をファイル生成時刻、つまり新着記憶順に優先順位を設定した場合の例を示しており、左から右方向へと新着記憶順にインジケータ表示をしている。
【００７４】
例えばステップＳ４５にてディスプレイ装置１６の表示画面上の曲マークを指定するために、タッチパネル１７Ａを通じてタッチ位置を検出する（ステップＳ４６）。制御手段２２は、タッチ位置を検出すると、このタッチ位置に対応した曲マークに隣接する優先順位に関わる５曲の曲データを画面表示する（ステップＳ４７）。尚、図８に示すインジケータ表示の場合、優先順位７番の曲マークがタッチされると、７番から１１番の隣接する５曲の曲ファイル名が画面表示されることになる。
【００７５】
再生制御手段２４は、これら画面表示中の５曲の曲ファイル名から所望曲の曲ファイル名を選択すると、この所望曲に関わる特有情報内の曲アドレス情報をデータベース領域１１Ｂから読み出し、この曲アドレス情報に基づいて、この曲のＭＰ３データの先頭部分をＭＰ３データ領域１１Ａから読み出し、このＭＰ３データの先頭部分を音響再生装置１３に再生させる（ステップＳ４８）。
【００７６】
さらに、制御手段２２は、決定ボタンが押下されたか否かを判定する（ステップＳ４９）。曲再生中に決定ボタンが押下されたのでなければ、ステップＳ４６に移行する。
【００７７】
制御手段２２は、曲再生中に決定ボタンが押下されたのであれば、ＭＰ３データの通常曲再生を開始する（ステップＳ５０）。この曲に関わる特有情報の再生頻度回数を＋１インクリメントすべく、データベース領域１１Ｂを更新し（ステップＳ５１）、この処理動作を終了する。
【００７８】
ステップＳ４２にて指定項目が１項目でなければ、２項目と判断し、優先順位生成手段２１は、第１指定項目に関わる全曲のデータをデータベース領域１１Ｂから読み出し（ステップＳ５２）、さらに第２指定項目に関わる全曲のデータをデータベース領域１１Ｂから読み出す（ステップＳ５３）。
【００７９】
優先順位生成手段２１は、第１指定項目に関わる全曲のデータに基づいて第１指定項目に関わる全曲データの優先順位を生成すると共に（ステップＳ５４）、第２指定項目に関わる全曲のデータに基づいて第２指定項目に関わる全曲データの優先順位を生成する（ステップＳ５５）。
【００８０】
制御手段２２は、第１優先順位をＸ座標軸とし、第２優先順位をＹ座標軸とするディスプレイ装置１６の表示画面上に、第１優先順位及び第２優先順位に基づいて、図９に示すように曲毎の曲マークをマッピング座標表示し（ステップＳ５６）、ステップＳ４６に移行する。
【００８１】
尚、図９の表示画面は、例えば第１指定項目を評価情報、第２指定項目を再生頻度回数とし、評価の優先順位をＸ座標軸、再生頻度回数の優先順位をＹ座標軸で示しており、表示画面上で下から上に進むに連れて評価が高くなり、表示画面上で右から左に進むにつれて再生頻度回数も多くなり、表示画面の左上端が評価も高く、さらには再生頻度回数も多いことを表示画面上で認識することができる。また、表示画面上の右下端は評価も低く、さらには再生頻度回数も少ないことを表示画面上で認識することができる。
【００８２】
また、ステップＳ４７にて評価情報及び再生頻度回数の優先順位に基づくマッピング座標表示中に、所望の曲マークがタッチされると、図９に示すようにタッチされた曲マークに関わる曲ファイルと、評価情報及び再生頻度回数の優先順位が隣接した４曲の曲ファイルとが表示画面上に画面表示されることになる。
【００８３】
本実施の形態によれば、ＭＰ３データの曲に関わる特有情報に基づいて、ＭＰ３データ領域１１Ａに記録したＭＰ３データに関わる曲の優先順位を生成し、この優先順位に基づいて、曲毎の曲マークをディスプレイ装置１６の表示画面上にマッピング表示するようにしたので、ＭＰ３データ領域１１Ａに記録した全曲の曲マークを表示画面上に表示することから、ＭＰ３データ領域１１Ａに記録した全曲の再生機会を均等に確保することができると共に、例えば所望曲の優先順位に基づいて曲マークがマッピング表示されていることから、その全曲から所望曲を選択する操作性の大幅向上を図ることができる。
【００８４】
本実施の形態によれば、表示画面上の所望の曲マークを選択すると、この所望の曲マークに関わる特有情報内の曲アドレス情報をデータベース領域１１Ｂから読み出し、この曲アドレス情報に基づいて、この曲のＭＰ３データの先頭部分をＭＰ３データ領域１１Ａから読み出し、このＭＰ３データの先頭部分を音響再生装置１３に再生させるようにしたので、選択した曲内容を聴覚的に認識することができる。
【００８５】
本実施の形態によれば、曲毎の再生頻度回数に基づいて優先順位を生成するようにしたので、再生頻度回数の優先順位で曲毎の曲マークをマッピング表示することで、再生頻度回数に基づく曲選択操作性の大幅向上を図ることができる。
【００８６】
本実施の形態によれば、曲毎の評価情報に基づいて優先順位を生成するようにしたので、評価情報の優先順位で曲毎の曲マークをマッピング表示することで、評価情報に基づく曲選択操作性の大幅向上を図ることができる。
【００８７】
本実施の形態によれば、曲毎の記録時期に基づいて優先順位を生成するようにしたので、記録時期の優先順位で曲毎の曲マークをマッピング表示することで、記録時期に基づく曲選択操作性の大幅向上を図ることができる。
【００８８】
本実施の形態によれば、優先順位に基づいて、所定方向に優先順位付けした各曲マークをディスプレイ装置１６の表示画面上にインジケータ表示するようにしたので、ユーザは、曲毎の優先順位を視覚的に認識しやすくなる。
【００８９】
本実施の形態によれば、曲毎の再生頻度回数に基づいて第１優先順位を生成し、曲毎の評価情報に基づいて第２優先順位を生成し、これら第１優先順位及び第２優先順位に基づいて、曲毎の曲マークをディスプレイ装置１６の表示画面上にマッピング座標表示するようにしたので、ユーザは、曲毎の再生頻度回数及び評価情報に基づく曲の優先度を視覚的に認識しやすくなる。
【００９０】
また、本実施の形態によれば、曲単位の曲マークでディスプレイ装置１６の表示画面上に画面表示するようにしたので、一覧という文字情報でなく、直感性の良い図形により表現することで、操作者が多くの曲目の中から目的とする曲を容易に探し出すことができる。
【００９１】
尚、上記実施の形態においては、ハードディスク装置１１のＭＰ３データ領域１１Ａに記録したＭＰ３データを音響データとして説明したが、ＣＤやＤＶＤ等に記録された音響データであっても、同様の効果が得られることはいうまでもない。
【００９２】
【発明の効果】
上記のように構成された本発明の音響情報機器によれば、音響データの曲に関わる特有情報に基づいて、音響データ記録手段に記録した音響データに関わる曲の優先順位を生成し、この優先順位に基づいて、曲毎の曲マークを表示手段上にマッピング表示するようにしたので、音響データ記録手段に記録した全曲の曲マークを表示手段上に表示することから、音響データ記録手段に記録した全曲の再生機会を均等に確保することができると共に、例えば所望曲の優先順位に基づいて曲マークがマッピング表示されていることから、その全曲から所望曲を選択する操作性の大幅向上を図ることができる。
【図面の簡単な説明】
【図１】本発明の実施の形態を示す音響情報機器内部の概略構成を示すブロック図である。
【図２】本実施の形態を示す音響情報機器の要部である制御装置内部の概略構成を示すブロック図である。
【図３】本実施の形態に関わるデータベース領域に記録中の特有情報のデータ構成を示す説明図である。
【図４】本実施の形態を示す音響情報機器のデータベース新規作成処理に関わる制御装置の処理動作を示すフローチャートである。
【図５】本実施の形態を示す音響情報機器のデータベース更新処理に関わる制御装置の処理動作を示すフローチャートである。
【図６】本実施の形態を示す音響情報機器の評価情報更新処理に関わる制御装置の処理動作を示すフローチャートである。
【図７】本実施の形態を示す音響情報機器の所望曲再生処理に関わる制御装置の処理動作を示すフローチャートである。
【図８】本実施の形態を示す音響情報機器における指定項目インジケータ表示の一例を示す説明図である。
【図９】本実施の形態を示す音響情報機器における指定項目マッピング表示の一例を説明図である。
【符号の説明】
１    音響情報機器
１１Ａ  ＭＰ３データ領域（音響データ記録手段）
１１Ｂ  データベース領域（データベース）
１３    音響再生装置
１６    ディスプレイ装置（表示手段）
１７    操作部（選択手段）
２１    優先順位生成手段
２２    制御手段
２３    表示制御手段
２４    再生制御手段
【図１】
0004717286.tif 000002
【図２】
0004717286.tif 000003
【図３】
0004717286.tif 000004
【図４】
0004717286.tif 000005
【図５】
0004717286.tif 000006
【図６】
0004717286.tif 000007
【図７】
0004717286.tif 000008
【図８】
0004717286.tif 000009
【図９】
0004717286.tif 000010